(57)【特許請求の範囲】
【請求項１】
ロール媒体が巻かれたロール給紙部と、ロール給紙部から引き出されたロール媒体を一定の長さに裁断する裁断部と、裁断されたロール媒体に磁気データを書込む磁気エンコーダ部と、ロール給紙部からロール媒体を裁断部まで引き出し、裁断されたロール媒体を磁気エンコーダ部に搬送する第１の搬送部と、磁気データが書込まれたロール媒体にデータを印字する少なくと１つの印字部と、磁気データが書込まれたロール媒体を印字部に搬送する第２の搬送部と、磁気データの書込み及び印刷が完了してチケットとなったロール媒体を外部に放出するインサータとを有するプリンタユニットと、該プリンタユニットを収容する扉を有する筐体とを備え、チケットとなったロール媒体の発券終了後に、第１の搬送部がロール給紙部よりロール媒体を引き出し、ロール媒体を裁断位置で停止させロール媒体のプリセットを行うようにした発券プリンタにおいて、
筐体の扉の開閉又は筐体からのプリンタユニットの引き出しを検知する検知手段と、検知手段によって筐体の扉が開放したことが検知された場合、又は、筐体からプリンタユニットが引き出されたことが検知された場合、第１の搬送部を駆動させ、裁断位置に待機した発券前のロール媒体を裁断部によって裁断させずに、該ロール媒体を第１の搬送部から退避させ、該ロール媒体の先端をロール給紙部に戻すよう制御する発券制御部とを備えたことを特徴とする発券プリンタ。
【請求項２】
磁気エンコーダ部は、カード媒体に磁気データを書き込み、印字部は、磁気データが書き込まれたカード媒体にデータを印字し、第２の搬送部は、磁気データが書き込まれたカード媒体を印字部に搬送し、プリンタユニットは、カード媒体を蓄えるホッパと、ホッパからカード媒体を繰り出して、磁気エンコーダ部に搬送する第３の搬送部と、磁気データの書込み及び印刷が完了してチケットとなったカード媒体を外部に放出するインサータとを有し、チケットとなったカード媒体の発券終了後に、ホッパよりカード媒体を引き出し、カード媒体を磁気エンコーダ部の手前に待機させカード媒体のプリセットを行うようにした発券プリンタにおいて、
発券制御部は、検知手段によって筐体の扉が開放したことが検知された場合、又は、筐体からプリンタユニットが引き出されたことが検知された場合、第３の搬送部を駆動させ、磁気エンコーダ部の手前に待機した発券前のカード媒体をホッパに戻すよう制御することを特徴とする請求項１記載の発券プリンタ。
【発明の詳細な説明】
【０００１】
【発明の属する技術分野】
本発明は発券プリンタ、特に媒体ハンドリングに関するものである。
【０００２】
【従来の技術】
図６は従来の発券プリンタの搬送路の概略を示す構成図である。
図において、１０１は発券プリンタ、１０２は発券プリンタ１０１の印刷面とその裏の磁気面に磁気データを書込めるロール媒体が、磁気面が外になるよう巻かれて装填されたロール給紙部、１０３はロール媒体を一定の長さに裁断する裁断部、１０４はＰＥＴ（ポリテレフタル酸エチレン）を素材とし、磁気データの書込みと印刷が可能なカード媒体を蓄えたホッパ、１０５はカード媒体を１枚に分離するカード分離部である。
【０００３】
１０６は裁断されたロール媒体若しくはカード媒体に磁気データを書込み、コンペアリードをする磁気エンコーダ部、１０７は赤の転写リボンで、裁断されたロール媒体若しくはカード媒体に文字情報等のデータを印刷する第１印字部、１０８は黒の転写リボンで、裁断されたロール媒体若しくはカード媒体に文字情報等のデータを印刷する第２印字部である。
１０９は磁気データ及び印刷が完了したロール媒体若しくはカード媒体を排出ロ１１０から放出し、集積する搬送路、１１１はカード媒体やロール媒体を挿入する挿入口、１１２はロール媒体或いはカード媒体の媒体挿入時に第１印字部１０７及び第２印字部１０８を通らないで媒体を搬送する搬送路としてのバイパスルートである。
【０００４】
次に、従来の発券プリンタの動作について説明する。
ロール媒体を発券するときは、ロール媒体をロール給紙部１０２より引き出して裁断部１０３でロール媒体を一定の長さに裁断し、磁気エンコーダ部１０６で磁気データを、第１印字部１０７、第２印字部１０８で印刷を行い、排出口１１０からチケットとなったロール媒体を放出する。
一方、カード媒体を発券するときはホッパ１０４より取り出したカード媒体をカード分離部１０５で分離し、ロール媒体と同様に磁気データ、印刷をして放出する。
ここで、ロール媒体を裁断部１０３で裁断して磁気エンコーダ部１０６に送られたとき、処理時間を短縮するためにロール媒体を予め分離待機（プリセット）していた。また、カード媒体を分離するとき、処理時間を短縮するためにロール媒体の搬送路との合流部近くにあらかじめ分離待機（プリセット）していた。
【０００５】
【発明が解決しようとする課題】
ここでロール媒体若しくはカード媒体をプリセットすることで以下の問題があった。
１）新しい地紋のロール媒体若しくはカード媒体に切り替えるときに、プリセットされたロール媒体若しくはカード媒体が装置に残留するので、これら媒体の除去を忘れてしまい、運用再開時、１枚目が旧地紋のロール媒体若しくはカード媒体で発券してしまうというトラブルが発生していた。
２）プリセットされたロール媒体若しくはカード媒体が装置に残留するので、第３者にプリセットされたロール媒体若しくはカード媒体が抜き取られても、気づかないことがあり、セキュリティ上の問題もあった。
【０００６】
【課題を解決するための手段】
本発明に係る発券プリンタは、ロール媒体が巻かれたロール給紙部と、ロール給紙部から引き出されたロール媒体を一定の長さに裁断する裁断部と、裁断されたロール媒体に磁気データを書込む磁気エンコーダ部と、ロール給紙部からロール媒体を裁断部まで引き出し、裁断されたロール媒体を磁気エンコーダ部に搬送する第１の搬送部と、磁気データが書込まれたロール媒体にデータを印字する少なくと１つの印字部と、磁気データが書込まれたロール媒体を印字部に搬送する第２の搬送部と、磁気データの書込み及び印刷が完了してチケットとなったロール媒体を外部に放出するインサータとを有するプリンタユニットと、該プリンタユニットを収容する扉を有する筐体とを備え、チケットとなったロール媒体の発券終了後に、第１の搬送部がロール給紙部よりロール媒体を引き出し、ロール媒体を裁断位置で停止させロール媒体のプリセットを行うようにした発券プリンタにおいて、筐体の扉の開閉又は筐体からのプリンタユニットの引き出しを検知する検知手段と、検知手段によって筐体の扉が開放したことが検知された場合、又は、筐体からプリンタユニットが引き出されたことが検知された場合、第１の搬送部を駆動させ、裁断位置に待機した発券前のロール媒体を裁断部によって裁断させずに、該ロール媒体を第１の搬送部から退避させ、該ロール媒体の先端をロール給紙部に戻すよう制御する発券制御部とを備えて構成されている。
【０００７】
本発明においては、発券制御部が筐体の扉の開閉又は筐体からのプリンタユニットの引き出しを検知する検知手段によって筐体の扉が開放したことが検知された場合、又は、筐体からプリンタユニットが引き出されたことが検知された場合、第１の搬送部を駆動させ、裁断位置に待機した発券前のロール媒体を裁断部によって裁断させずに、そのロール媒体を第１の搬送部から退避させ、そのロール媒体の先端をロール給紙部に戻すよう制御するので、筐体の扉が開けられたり又は筐体からプリンタユニットが引き出された場合には、ロール媒体のプリセットが解除されるため、プリンタユニットの第１搬送部内にロール媒体が無くなり、取り忘れが無くなる。
【０００８】
【発明の実施の形態】
図１は本発明の実施の形態１に係る発券プリンタの構成を示す正面断面図、図２は同発券プリンタの構成を示す平面断面図、図３は同発券プリンタの構成を示す側面断面図、図４は同発券プリンタの構成を示すブロック図、図５は同発券プリンタの動作を示すフローチャートである。
まず、図１〜図３において、本発明の実施の形態１に係る発券プリンタの機械的構成について説明する。
１は発券プリンタの筐体、２は筐体１の前面側に配設されたプリンタユニット、３は筐体１の後面側上部に配設された定期券読取ユニット、４は後面側下部に配設された電源部、５は筐体１の左側面側に開閉自在に設けられた扉、６は筐体１の底部に配設され、プリンタユニット２を外部に引き出すためのスライドレール、７は筐体１の扉５の開閉を検知するセットスイッチである。
【０００９】
１２は印刷面とその裏の磁気面に磁気データを書込めるロール媒体が、磁気面が外になるよう巻かれて装填された第１ロール給紙部で、プリンタユニット２の下部左側に配設されている。１２ａは第１ロール給紙部１２から引き出されたロール媒体の挿入口、１３は第１ロール給紙部１１に装填されたのと同様の仕様のロール媒体が装填された第２ロール給紙部で、プリンタユニット２の下部右側に配設されている。１３ａは第１ロール給紙部１２から引き出されたロール媒体の挿入口、１４はプリンタユニット２の略中央部右寄りに配設された裁断部で、第１ロール給紙部１２又は第２ロール給紙部１３から引き出されて挿入口１２ａ又は１３ａを通過したロール媒体を一定の長さに裁断する。
【００１０】
１５は裁断部１４の下方に設けられ、第１ロール給紙部１２又は第２ロール給紙部１３からロール媒体を引き出し、裁断部１４を通過させて磁気エンコーダ部１８に搬送する第１搬送部、１６はプリンタユニット２の略中央部右側に配設され、ＰＥＴを素材とし、磁気データと印刷が可能なカード媒体を蓄えるホッパ、１７はホッパ１６から繰り出されたカード媒体を磁気エンコーダ部１８へ搬送する第２搬送部である。
その磁気エンコーダ部１８は裁断されたロール媒体若しくはカード媒体に磁気データを書込み、コンペアリードするもので、プリンタユニット２の略中央部左寄りに配設されている。１９はプリンタユニット２の略中央部左側に配設され、磁気エンコーダ部１８からロール媒体若しくはカード媒体を第１印字部２０に搬送する第３搬送部である。
【００１１】
この第１印字部２０はプリンタユニット２の上部左側に配設され、黒の転写リボンで裁断されたロール媒体若しくはカード媒体に文字情報等のデータを印刷する。２１はプリンタユニット２の上部真ん中に配設された第２印字部で、赤の転写リボンで裁断されたロール媒体、若しくはカード媒体に文字情報等のデータを印刷する。
２２はプリンタユニット２の上部右側に配設されたインサータで、磁気データの書込み及び印刷が完了したロール媒体若しくはカード媒体を排出ロ２２ｂから放出し、集積するものである。２２ａはカード媒体やロール媒体を挿入する挿入口である。
【００１２】
次に、図４において、本発明の実施の形態１に係る発券プリンタの電気的構成について説明する。
図４において、２５はプリンタユニット２のロール媒体或いはカード媒体に磁気データ及び文字情報等のデータを印刷する等の各種操作指令を出力する操作部、３０は各種ＣＰＵ等で構成される発券の制御を行う発券制御部、３１は発券制御部３０の中央制御部、３２は発券に関するデータ及び発券に伴うプログラムを記憶するメインメモリ、３３はバックアップメモリである。
【００１３】
３４は操作部２５からの操作指令を読み込み、中央制御部３１に伝送すると共に第１及び第２印字部２０、２１を印字制御する操作・印字制御部、３５は磁気エンコーダ部１８を制御する磁気制御部である。なお、磁気エンコーダ部１８は書込みドライバ１８ａと磁気ライトヘッド１８ｂとアンプ１８ｃと磁気ヘッド１８ｃとで構成されている。
３６は裁断部１４、第１〜第３搬送部１５、１７、１９及びインサータ２２をドライバ３７を介して制御するメカ制御部である。３８は上位機種との間に設けられたインターフェイスである。セットスイッチ７は中央制御部３１に接続されている。
【００１４】
次に、本発明の実施の形態１の発券プリンタの動作について図１、図４及び図５のフローチャートに基づいて説明する。
ロール媒体を発券するために操作部２５を操作してロール媒体の発券指令を出力すると、その指令を操作・印字制御部３４を介して受けた中央制御部３１はメインメモリ３２に記憶されているロール媒体の発券プログラムを起動し、メカ制御部３６が第１搬送部１５を駆動し、第１ロール給紙部２又は第２ロール給紙部３よりロール媒体を引き出し、裁断部１４を駆動させてロール媒体を一定の長さに裁断する。
【００１５】
その後、メカ制御部３６が第１搬送部１５をさらに駆動し、裁断部１４によって裁断されたロール媒体を磁気エンコーダ部８へ搬送する。
磁気制御部３５によって駆動された磁気エンコーダ部８はロール媒体の磁気面に磁気データの書込みをし、その書込のコンペアチェックを行う。裁断され、磁気データの書込みがされたロール媒体はメカ制御部３６により駆動された第３搬送部１９によって第１印字部２０に送られる。
【００１６】
第１印字部２０は操作・印字制御部３４により駆動され、裁断され、磁気データの書込みがされたロール媒体の印刷面に文字情報等のデータを印刷する。その後は操作・印字制御部３４により駆動された第２印字部２１で、さらに文字情報等のデータの印刷が行われる。なお、第２印字部２１での印刷が無いときは通過するのみとなる。
第２印字部２１でさらに文字情報等のデータの印刷が行われ、チケットとなったロール媒体はインサータ２２に送られ、メカ制御部３６によって駆動されたインサータ２２は排出口２２ｂからチケットとなったロール媒体を放出する。
このようにチケットとなったロール媒体の発券終了後は、メカ制御部３６は裁断部１４を駆動し、裁断部１４が第１ロール給紙部２または第２ロール給紙部３よりロール媒体を引き出し、ロール媒体を裁断位置で停止させ、次の発券に備える、即ちロール媒件のプリセットを行う。
【００１７】
以上はロール媒体の発券の説明であるが、次にカード媒体の発券について説明する。
カード媒体を発券するために操作部２５を操作してカード媒体の発券指令を出力すると、その指令を操作・印字制御部３４を介して受けた中央制御部３１はメインメモリ３２に記憶されているカード媒体の発券プログラムを起動し、メカ制御部３６が第２搬送部１７を駆動し、第２搬送部１７がホッパ１６よりカード媒体を１枚分離して引き出し、磁気エンコーダ部８へ搬送する。
磁気制御部３５によって駆動された磁気エンコーダ部８はカード媒体の磁気面に磁気データの書込みをし、その書込のコンペアチェックを行う。磁気データの書込みがされたカード媒体はメカ制御部３６により駆動された第３搬送部１９によって第１印字部２０に送られる。
【００１８】
第１印字部２０は操作・印字制御部３４により駆動され、磁気データの書込みがされたカード媒体の印刷面に文字情報等のデータを印刷する。その後は操作・印字制御部３４により駆動された第２印字部２１でさらに文字情報等のデータの印刷が行われる。なお、第２印字部２１での印刷が無いときは通過するのみとなる。
第２印字部２１でさらに文字情報等のデータの印刷が行われ、チケットとなったカード媒体はインサータ２２に送られ、メカ制御部３６によって駆動されたインサータ２２は排出口２２ｂからチケットとなったカード媒体を放出する。
このようにチケットとなったカード媒体の発券終了後は、メカ制御部３６は第２搬送部１７を駆動し、ホッパ１６よりロール媒体を分離して引き出し、磁気エンコーダ部１８の手前の第２搬送部１７内にカード媒体を予め待機させて、次の発券に備える、即ちカード媒体のプリセットを行う。
【００１９】
次に、ロール媒体又はカード媒体のプリセットを解除する動作について図５のフローチャートに基づいて説明する。
まず、筐体１の扉５を開くと、それを検知したセットスイッチ７はＯＮして扉開放信号を発券制御部３４の中央制御部３１に出力する（ステップＳ１）。
このとき、中央制御部３１ではロール媒体がプリセットされているかどうかを判断する（ステップＳ２）。
そして、ロール媒体がプリセットされている場合には、セットスイッチ７の扉開放信号を受けた中央制御部３１はメカ制御部３６に第１搬送部１５を動作させる指令を出し、メカ制御部３６は第１搬送部１５がロール媒体を図１において左から右へ搬送し、媒体挿入口１２ａ若しくは媒体挿入口１３ａにロール媒体の先端を戻すよう駆動制御し、ロール媒体のプリセットを解除する（ステップＳ２）。また、ロール媒体がプリセットされていない場合はそのままとなる。
【００２０】
次に、筐体１の扉５を開くと、それを検知したセットスイッチ７はＯＮして扉開放信号を発券制御部３４の中央制御部３１に出力する（ステップＳ１）。
このとき、中央制御部３１ではカード媒体がプリセットされているかどうかを判断する（ステップＳ４）。
そして、カード媒体がプリセットされている場合には、セットスイッチ７の扉開放信号を受けた中央制御部３１はメカ制御部３６に第２搬送部１７を動作させる指令を出し、メカ制御部３６は第２搬送部１７がロール媒体を図１において左から右へ搬送し、ホッパ１６内部までカード媒体を搬送するよう駆動制御し、カード媒体のプリセットを解除する（ステップＳ５）。また、カード媒体がプリセットされていない場合はそのままとなる。
【００２１】
この実施の形態１では、自動的にプリセットされたロール媒体若しくはカード媒体が筐体１の扉５が開くと、それを検知したセットスイッチ７はＯＮして扉開放信号を発券制御部３４の中央制御部３１に出力し、セットスイッチ７の扉開放信号を受けた中央制御部３１はメカ制御部３６に第１搬送部１５又は第２搬送部１７を動作させる指令を出し、メカ制御部３６は第１搬送部１５又は第２搬送部１７がロール媒体若しくはカード媒体を図１において左から右へ搬送し、媒体挿入口１２ａ若しくは媒体挿入口１３ａにロール媒体の先端を戻すよう又はホッパ１６内部までカード媒体を搬送するよう駆動制御し、ロール媒体又はカード媒体のプリセットを解除するので、プリンタユニット２の第１搬送部１５内にロール媒体が無くなり又は第２搬送部１７内にカード媒体が無くなり、取り忘れが無くなると共にセキュリティが向上することとなった。
【００２２】
上記実施の形態１のセットスイッチ７は筐体１の扉５が開くことを検知してＯＮし、扉開放信号を発券制御部３４の中央制御部３１に出力し、ロール媒体又はカード媒体のプリセットを解除するのするようにしているが、筐体１の扉５が開いた後にプリンタユニット２が筐体１から引き出されたことを検知してＯＮし、ユニット引出信号を発券制御部３４の中央制御部３１に出力し、ロール媒体又はカード媒体のプリセットを解除するようにしてもよいことはいうまでもない。
このように、プリンタユニット２を筐体１から引き出した場合にロール媒体又はカード媒体のプリセットを解除するようにしたときも、プリンタユニット２の第１搬送部１５内にロール媒体が無くなり又は第２搬送部１７内にカード媒体が無くなるので、不用意にロール媒体若しくはカード媒体抜き取られることが無くなり、セキュリティが向上した。
【００２３】
【発明の効果】
本発明は以上説明したとおり、発券制御部が筐体の扉の開閉又は筐体からのプリンタユニットの引き出しを検知する検知手段によって筐体の扉が開放したことが検知された場合、又は、筐体からプリンタユニットが引き出されたことが検知された場合、第１の搬送部を駆動させ、裁断位置に待機した発券前のロール媒体を裁断部によって裁断させずに、そのロール媒体を第１の搬送部から退避させ、そのロール媒体の先端をロール給紙部に戻すよう制御するので、筐体の扉が開けられたり又は筐体からプリンタユニットが引き出された場合には、ロール媒体のプリセットが解除されるため、プリンタユニットの第１搬送部内にロール媒体が無くなり、取り忘れが無くなると共にセキュリティが向上するという効果がある。
【図面の簡単な説明】
【図１】本発明の実施の形態１に係る発券プリンタの構成を示す正面断面図である。
【図２】同発券プリンタの構成を示す平面断面図である。
【図３】同発券プリンタの構成を示す側面断面図である。
【図４】同発券プリンタの構成を示すブロック図である。
【図５】同発券プリンタの搬送路の動作を示すフローチャートである。
【図６】従来の発券プリンタの搬送路の概略を示す構成図である。
【符号の説明】
１    筐体
２    プリンタユニット
７    セットスイッチ
１２    第１ロール給紙部
１２ａ  挿入口
１３    第２ロール給紙部
１４    裁断部
１５    第１搬送部
１６    ホッパ
１７    第２搬送部
１８    磁気エンコーダ部
１９    第３搬送部
２０    第１印字部
２１    第２印字部
２２    インサータ
２２ｂ  排出口
【図１】
0004878692.tif 000002
【図２】
0004878692.tif 000003
【図３】
0004878692.tif 000004
【図４】
0004878692.tif 000005
【図５】
0004878692.tif 000006
【図６】
0004878692.tif 000007